(57)【要約】【課題】明るく高効率を実現する液晶表示装置を提供すること。【解決手段】複数の表示セルを有し、入射面から光を入射して前記表示セル毎に光を変調して表示面から出射する液晶パネルと、少なくとも１つ以上の光源を有する光源部と、前記光源部からの光を赤色、緑色、青色の各波長帯の光に分離する光分離手段と、前記波長帯毎に設けられ、各々の光軸が同一平面状に位置し、前記光分離手段で分離された各波長帯の光を入射像として拡大投写する複数のリレーレンズと、前記複数のリレーレンズの拡大側焦点距離近傍に設けられ、入射した光の光路を前記液晶パネルの表示面法線方向側へ屈折させるフレネルレンズと、前記フレネルレンズから出射した各波長帯の光を、前記液晶パネル入射面近傍のそれぞれ異なる位置に集光させるレンチキラーレンズと、を備える。【選択図】図１
2010039113.tif 000002
【特許請求の範囲】
【請求項１】
複数の表示セルを有し、入射面から光を入射して前記表示セル毎に光を変調して表示面から出射する液晶パネルと、
少なくとも１つ以上の光源を有する光源部と、
前記光源部からの光を赤色、緑色、青色の各波長帯の光に分離する光分離手段と、
前記波長帯毎に設けられ、各々の光軸が同一平面状に位置し、前記光分離手段で分離された各波長帯の光で形成された１次像を２次像として拡大投写する複数のリレーレンズと、
前記複数のリレーレンズの２次像位置近傍に設けられ、入射した光の光路を前記液晶パネルの表示面法線方向側へ屈折させるフレネルレンズと、
前記フレネルレンズから出射した各波長帯の光を、前記液晶パネル入射面近傍のそれぞれ異なる位置に集光させるレンチキラーレンズと、を備えた、
液晶表示装置。
【請求項２】
前記レンチキラーレンズは、
複数列のシリンドリカルレンズ部を有し、
１列のシリンドリカルレンズ部に対して前記液晶パネルの表示セル３列が対向している、
請求項１記載の液晶表示装置。
【請求項３】
前記レンチキラーレンズの母線は、前記複数のリレーレンズの光軸を含む平面に直交する、
請求項１記載の液晶表示装置。
【請求項４】
前記フレネルレンズの光軸は、前記複数のリレーレンズの内中央のリレーレンズの光軸と一致している、
請求項１記載の液晶表示装置。
【請求項５】
前記リレーレンズと前記フレネルレンズが両側テレセントリック光学系を形成する、
請求項１記載の液晶表示装置。
【請求項６】
前記光分離手段で分離された各波長帯の光の光軸に対し、それぞれに対応する前記リレーレンズのうち少なくともいずれか１つの光軸がずれて配置される、
請求項１記載の液晶表示装置。
【請求項７】
前記光路分離手段は、
赤色、緑色、青色の各波長帯の光のうちいずれかの波長帯の光を反射し、他の波長帯の光を透過させる複数のダイクロイックミラーを有する、
請求項１記載の液晶表示装置。
【請求項８】
前記光路分離手段は、
分離した各波長帯の光を入射し、強度分布を均一化させる複数のロットレンズを有する、
請求項１記載の液晶表示装置。
【請求項９】
前記複数のロットレンズは、それぞれ長さが異なる、
請求項８記載の液晶表示装置。
【請求項１０】
前記光源部は、
放電ランプ光源と、前記放電ランプ光源の背面側に配置された楕円面鏡と、を有する、
請求項１記載の液晶表示装置。
【請求項１１】
前記光分離手段で分離された各波長帯の光の光軸が互いに傾斜している、
請求項１記載の液晶表示装置。
【請求項１２】
前記光分離手段で分離された各波長帯の光の光軸が互いに傾斜しており、
前記ロットレンズは、断面形状が台形である、
請求項８記載の液晶表示装置。
【請求項１３】
前記液晶パネルと前記レンチキラーレンズは一体で構成されている、
請求項１記載の液晶表示装置。
【発明の詳細な説明】
【技術分野】
【０００１】
本発明は液晶表示装置に関し、特に、明るく高効率を実現するための液晶表示装置に関する。
【背景技術】
【０００２】
液晶表示装置は背面から光を照射するためのバックライトを必要とする。このバックライトの光源としては、従来冷陰極管等が用いられている。また、最近ではＬＥＤも用いられている。
【０００３】
明るい環境下で液晶表示装置を使用すると、液晶表示装置が黒表示動作を行っても、外光の反射の影響で輝度が上昇する。そのため、白表示動作時との明るさの差が低下してコントラストの低い映像しか再現できなくなる。
【０００４】
明るい環境下でコントラストの高い映像を表示するためには、白表示時の明るさを向上する必要がある。冷陰極管の場合、その出力や本数を増やすことが行われる。
【０００５】
またバックライトの照明系として照明ビームをレンズで導く背面照明系として、例えば特許文献１に提案されている液晶表示装置用背面照明系が提案されている。
【特許文献１】特開２００７−１７１９７６号公報
【発明の開示】
【発明が解決しようとする課題】
【０００６】
特許文献１では光源として放電ランプ等が想定されている。そのため、冷陰極管よりも大きな出力が得られ、液晶表示装置を明るくできる。しかし、液晶表示装置の効率は必ずしも高くない。
【０００７】
液晶表示装置はカラー画像を得るために表示セル毎にカラーフィルタを配置している。カラーフィルタを透過できなかった光線はカラーフィルタで吸収され、大きく効率を下げる原因となっている。また、各表示セルはブラックマトリックスと呼ばれる光を吸収する帯で仕切られている。そのため、ブラックマトリックスで吸収される光は表示に使われないため、大きく効率を低下させる原因となっている。
【０００８】
本発明は上記課題に鑑みてなされたものであり、明るく高効率を実現する液晶表示装置を提供することを目的とする。
【課題を解決するための手段】
【０００９】
上記目的を達成するために、本発明の液晶表示装置は、複数の表示セルを有し、入射面から光を入射して前記表示セル毎に光を変調して表示面から出射する液晶パネルと、少なくとも１つ以上の光源を有する光源部と、前記光源部からの光を赤色、緑色、青色の各波長帯の光に分離する光分離手段と、前記波長帯毎に設けられ、各々の光軸が同一平面状に位置し、前記光分離手段で分離された各波長帯の光で形成された１次像を２次像として拡大投写する複数のリレーレンズと、前記複数のリレーレンズの２次像位置近傍に設けられ、入射した光の光路を前記液晶パネルの表示面法線方向側へ屈折させるフレネルレンズと、前記フレネルレンズから出射した各波長帯の光を、前記液晶パネル入射面近傍のそれぞれ異なる位置に集光させるレンチキラーレンズと、を備えている。
【発明の効果】
【００１０】
本発明により、明るく高効率を実現する液晶表示装置を提供することができる。
【発明を実施するための最良の形態】
【００１１】
（実施の形態１）
本発明の実施の形態１に係る液晶表示装置１０について、図面を参照しながら説明する。
【００１２】
＜１．液晶表示装置の構成＞
図１は実施の形態１に係る液晶表示装置１０の構成図である。
【００１３】
液晶表示装置１０は、光源部１００と、光分離手段２００と、リレーレンズ３０１、３０２、３０３と、フレネルレンズ４０１と、レンチキラーレンズ５０１と、液晶パネル６０１と、を備えている。
【００１４】
光源部１００は、光源としての放電ランプ１０１と、楕円面鏡１０２と、を有している。
【００１５】
光分離手段２００は、赤色の波長帯を反射して他の波長帯を透過するダイクロイックミラー２０１と、ダイクロイックミラー２０１を透過した光のうち、緑色の波長帯を反射して他の波長帯を透過するダイクロイックミラー２０２と、ダイクロイックミラー２０２を透過した光を反射するミラー２０３を有している。また、各ダイクロイックミラー２０１、２０２およびミラー２０３で反射した各色の光を入射面から入射し、それぞれの光強度分布を均一化させて出射面より出射する、ロットレンズ２１１、２１２、２１３を有している。本構成により、光分離手段２００は光源部１００からの光を各色の波長帯の光に空間的に分離する。
【００１６】
リレーレンズ３０１、３０２、および３０３は、図１のｙ軸方向に並べて配置されており、各々の光軸が同一平面内（ｘ−ｙ平面内）に位置している。リレーレンズ３０１、３０２、および３０３は、ロットレンズ２１１、２１２、２１３の各出射端面の１次像をフレネルレンズ４０１に対して２次像として拡大投写する。
【００１７】
フレネルレンズ４０１は、拡大投写された各色の光を液晶パネル６０１の背面（入射面）側へ照射する。このとき、光を液晶パネル６０１の表示面法線方向側（ｘ軸方向側）へ屈折させて照射する。図１は断面構成を示しているが、フレネルレンズ４０１は、液晶パネル６０１の背面全体を照射する面積を有するｙ−ｚ面に平行な面形状である。
【００１８】
なお、フレネルレンズ４０１の光軸は、リレーレンズ３０２の光軸と一致している。この構成により、リレーレンズのイメージサークルを最小にしている。
【００１９】
レンチキラーレンズ５０１は、ｚ方向を母線とする複数列のシリンドリカルレンズ部を有している。つまり、シリンドリカルレンズ部の母線の方向は、リレーレンズ３０１、３０２、３０３の光軸を含む平面（ｘ−ｙ平面）に直交している。レンチキラーレンズ５０１は、フレネルレンズ４０１から出射される各色の光を液晶パネル６０１の背面（入射面）に集光させる。このとき、レンチキラーレンズ５０１は、入射する各色の光によって液晶パネル６０１入射面の別の位置で集光させる。つまり、液晶パネル６０１には各色で分離された光が入射することになる。
【００２０】
液晶パネル６０１は、青色、緑色、赤色に対応する表示セルを複数有している。図１において、青色、緑色、赤色の表示セルをｙ方向に並べて１組とすると、これがｙ方向およびｚ方向にマトリックス状に配置されている。つまり、ｚ方向には色が揃った表示セルが並ぶ構成となり、ｙ方向には、青色、緑色、赤色の表示セルの列が順次並ぶ構成となる。ここで、レンチキラーレンズ５０１の１列のシリンドリカルレンズ部が、液晶パネル６０１の青色、緑色、赤色からなる表示セル３列に対向するように構成されている。
【００２１】
以上、液晶表示装置１０の構成について説明した。
【００２２】
＜２．液晶表示装置の動作＞
次に、液晶表示装置１０の動作について説明する。
【００２３】
光源部１００において、放電ランプ１０１から出射した光は、楕円面鏡１０２で反射して光分離手段２００へ向かう。
【００２４】
図２は、光分離手段２００の光分離作用を説明するための説明図である。
【００２５】
光分離手段２００へ入射した光は、まずダイクロイックミラー２０１で赤色の波長帯成分がｘ軸方向へ反射する。反射した赤色波長帯の光は楕円面鏡１０２の焦点位置で集光する。集光位置にはロットレンズ２１１の入射端面があり、ロットレンズ２１１内に入射する。ロットレンズ２１１に入射した赤色の波長帯の光は、全反射を繰り返して、ロットレンズ２１１の射出端面に向かう。全反射を繰り返すことで、ロッドレンズ２１１の出射端面ではムラが低減された均一な明るさの面となる。ダイクロイックミラー２０１を反射せずに透過した光は、ダイクロイックミラー２０２で、緑色の波長帯の成分が反射する。そしてロットレンズ２１２の作用によって、均一な明るさの出射端面が形成される。また、ダイクロイックミラー２０２を反射せずに透過した、青色波長帯の光は、ミラー２０３で反射する。そして同様にしてロットレンズ２１３の作用によって、均一な明るさの出射端面が形成される。
【００２６】
ここで、光源部１００からの光を折り曲げるｙ軸方向の位置が、ダイクロイックミラー２０１、ダイクロイックミラー２０２およびミラー２０３で異なる。そのため、楕円面鏡１０２の集光位置にロットレンズ２１１、２１２および２１３の入射端面を置いた場合、ロットレンズ２１１、２１２および２１３の長さを同じにすると、ロットレンズ２１１、２１２および２１３の出射端面の位置がｘ軸方向で位置が揃わない。ロットレンズ２１１、２１２および２１３の出射端面の位置が揃わない場合、その後に構成されるリレーレンズ３０１、３０２、３０３において焦点距離がそれぞれ異なる構成が必要となる。よって、液晶表示装置１０の構成が複雑化する。本実施の形態では、ロットレンズ２１１、２１２および２１３の長さを変えることで、ロットレンズ２１１、２１２および２１３の出射端面の位置を揃えている。これによって構成の容易化が可能である。
【００２７】
ロットレンズ２１１出射端面における均一な赤色波長帯の光の像は、リレーレンズ３０１によって、液晶パネル６０１の入射面の大きさに略一致する大きさに拡大投写される。同様にして、リレーレンズ３０２、リレーレンズ３０３によって緑色、青色の波長帯の光も拡大投写される。リレーレンズ３０１、３０２および３０３の焦点距離は略一致しており、その位置にフレネルレンズ４０１が位置することになる。
【００２８】
リレーレンズ３０１、３０２および３０３で拡大投写された像は、フレネルレンズ４０１によって、液晶パネル６０１の表示面側（ｘ軸方向側）へ屈折する。そして、屈折してレンチキラーレンズ５０１に入射した光が各色に分離される。
【００２９】
なお、本実施の形態においては、リレーレンズ３０１、３０２および３０３と、フレネルレンズ４０１とが両側テレセントリック光学系を形成することで、液晶パネル６０１の入射面における中心と周辺の輝度をより均等化させている。
【００３０】
ここで、図３乃至図６を用いてレンチキラーレンズ５０１で光が各色に分離される作用について説明する。
【００３１】
図３は、リレーレンズ３０１、３０２および３０３から液晶パネル６０１に至る光路を説明する説明図である。なお、リレーレンズ３０１、３０２および３０３はフレネルレンズ４０１の全面を照明しているが、図３では中心近傍と下端に至る光路だけを図示している。
【００３２】
フレネルレンズ４０１に対して、リレーレンズ３０１、３０２および３０３からそれぞれ各色の光が照明されるが、それぞれ入射する光線の角度が異なる。レンチキラーレンズ５０１では、この光線の角度の違いで、集光する光線の位置が変化し、リレーレンズ毎に光線を分離している。
【００３３】
なお、本実施の形態においては、リレーレンズ３０１、３０２および３０３の光軸は同一平面内になるように揃って配置されており、また、レンチキラーレンズ５０１のシリンドリカルレンズ部の母線はその平面に直交している。この構成により、レンチキラーレンズ５０１のシリンドリカルレンズ部へ入射する各色の光の角度を変えており、光の分離を容易に可能としている。
【００３４】
図４は、リレーレンズ３０２からフレネルレンズ４０１の下端に至る光路をより詳しく説明するための説明図である。
【００３５】
リレーレンズ３０２から出射した光の光路は、フレネルレンズ４０１で屈折し、ほぼ液晶パネル６０１の表示面法線方向（ｘ軸方向）となる。そして、フレネルレンズ４０１を出射した光は、レンチキラーレンズ５０１の入射面に入射し、屈折して、レンチキラーレンズ５０１の射出面で集光する。液晶パネル６０１はレンチキラーレンズ５０１の射出面近傍に置かれるため、液晶パネルを通過するときの光束は細くなり、ブラックマトリックス６１４で区切られた緑色用の表示セル６１１を通過する。
【００３６】
図５は、リレーレンズ３０３からフレネルレンズ４０１下端に至る光路をより詳しく説明するための説明図である。
【００３７】
リレーレンズ３０３から出射した光の光路は、フレネルレンズ４０１でリレーレンズ３０２のときより大きく屈折する。そして、フレネルレンズ４０１を出射した光は、レンチキラーレンズ５０１の入射面において、図面の下側の面から入射し、屈折して、レンチキラーレンズ５０１の射出面で集光する。この集光位置はリレーレンズ３０２のときより図面の上側になる。リレーレンズ３０２の場合はレンチキラーレンズ射出面の光軸近傍だったため、屈折作用を受けなかったが、リレーレンズ３０３からの光の場合は、光軸から離れた位置で集光するため、屈折作用を受け、主光線が液晶パネル６０１の表示面法線方向に一致する。液晶パネル６０１は、レンチキラーレンズ５０１の出射面近傍に置かれるため、液晶パネル６０１を通過するときの光束は細くなり、ブラックマトリックス６１４で区切られた青色用の表示セル６１２を通過する。
【００３８】
図６は、リレーレンズ３０１からフレネルレンズ４０１下端に至る光路をより詳しく説明するための説明図である。
【００３９】
リレーレンズ３０１から出射した光の光路は、フレネルレンズ４０１でリレーレンズ３０２のときより小さく屈折する。そして、フレネルレンズ４０１を出射した光は、レンチキラーレンズ５０１の入射面において、図面の上側から入射し、屈折して、レンチキラーレンズ５０１の射出面で集光する。この集光位置はリレーレンズ３０２のときより図面の下側になる。リレーレンズ３０２の場合はレンチキラーレンズ射出面の光軸近傍だったため、屈折作用を受けなかったが、リレーレンズ３０１からの光の場合は、光軸から離れた位置で集光するため、屈折作用を受け、主光線が液晶パネル６０１の表示面法線方向に一致する。液晶パネル６０１は、レンチキラーレンズ５０１の出射面近傍に置かれるため、液晶パネル６０１を通過するときの光束は細くなり、ブラックマトリックス６１４で区切られた赤色用の表示セル６１３を通過する。
【００４０】
このような動作により、分離された各色の光は、液晶パネル６０１の入射面に入射し、各表示セルに対して各色の光が透過するようになる。よって、液晶パネル６０１に各色のカラーフィルタを配置することなく色分離が可能になるため、高効率化が可能である。また、各色の波長帯に分離された光は各表示セルに集光しているので、表示セル間に設けられるブラックマトリックスに吸収される光も少なくなり、この点においても、高効率化を図ることが可能となっている。
【００４１】
以上、液晶表示装置１０の動作について説明した。
【００４２】
なお、本実施の形態においては、ダイクロイックミラーを用いることで一つの白色の光を波長帯で空間的に分離できる構成を容易に実現しているが、これに限られるものではない。要するに、波長帯毎に光を分離できるものであれば他の構成であってもよい。
【００４３】
また、本実施の形態においては、ロットレンズを用いることで光の強度分布を容易に均一化できる構成を実現しているが、これに限られるものではない。例えばマルチレンズアレイを使った照明系であってもよい。要するに、光の強度分布を均一化できるものであれば他の構成であってもよい。
【００４４】
また、本実施の形態においては、光源部として放電ランプと楕円面鏡を用いたが、これに限られるものではない。例えば、放電ランプと集光レンズ等を用いてもよい。ただし、放電ランプと楕円面鏡を用いることで、集光レンズ等を用いる場合に比べてコンパクトな構成が可能である。
【００４５】
また、本実施の形態においては、レンチキラーレンズと液晶パネルを別体として構成したが、これらを一体構成とすることも可能である。このようにすれば、コンパクト化が図れると共に、集光位置の調整等も容易となる。
【００４６】
（実施の形態２）
本発明の実施の形態２に係る液晶表示装置について、図面を参照しながら説明する。
【００４７】
実施の形態２の液晶表示装置は、リレーレンズ３０１、３０３の光軸が光分離手段のロットレンズ２１１、２１３と一致していない点で、実施の形態１の液晶表示装置と異なる。他の構成は実施の形態１と同様である。
【００４８】
図７は実施の形態２に係る液晶表示装置における、光分離手段２００およびリレーレンズ３０１、３０２および３０３の構成図である。
【００４９】
実施の形態１の液晶表示装置１０においては、厳密には、ロットレンズ２１２とリレーレンズ３０２とで形成される照明領域に対して、ロットレンズ２１１とリレーレンズ３０１とで形成される照明領域は図面の上側に、ロットレンズ２１３とリレーレンズ３０３とで形成される照明領域は図面の下側に、それぞれずれてしまう。従って、照射領域の上下端において、各色の内の一部が照射されない領域が存在する。この領域の光は、液晶パネル６０１に入射する光としてはそのままでは使用できない。
【００５０】
本実施の形態においては、リレーレンズ３０１の光軸をロットレンズ２１１の光軸よりも下側にずらすことで、ロットレンズ２１２とリレーレンズ３０２とで形成される照明領域と同じ領域を照射させることができる。同様に、リレーレンズ３０３の光軸をロットレンズ２１３の光軸よりも上側にずらすことで、ロットレンズ２１２とリレーレンズ３０２とで形成される照明領域と同じ領域を照射させることができる。このような構成により、照射領域の上下端において、各色の内の一部が照射されない領域をなくすことができ、より効率の高い液晶表示装置を構成することが可能となる。
【００５１】
なお、本実施の形態においては、ロットレンズ２１２とリレーレンズ３０２の光軸を一致させ、他をずらす構成を採ったが、これに限られない。例えば、ロットレンズ２１１とリレーレンズ３０１の光軸を一致させ、他をずらす構成であってもよい。ただし、真ん中に位置するロットレンズ２１２とリレーレンズ３０２の光軸を一致させることで、他をずらす場合のずらし幅を最小限とすることが可能である。
【００５２】
（実施の形態３）
本発明の実施の形態３に係る液晶表示装置について、図面を参照しながら説明する。
【００５３】
実施の形態３の液晶表示装置は、光分離手段で分離された各波長帯の光の光軸が互いに傾斜している点で、実施の形態１の液晶表示装置と異なる。他の構成は実施の形態１と同様である。
【００５４】
図８は実施の形態３に係る液晶表示装置における、光分離手段２００およびリレーレンズ３０１、３０２および３０３の構成図である。
【００５５】
本実施の形態における液晶表示装置は、ダイクロイックミラー２０２で反射される光の光軸に対し、ダイクロイックミラー２０１で反射される光の光軸は図面の下側に、ミラー２０３で反射される光の光軸は図面の上側に、それぞれ傾斜する構成を採る。この構成により、ロットレンズ２１２の光軸とロットレンズ２１１および２１３の光軸は、液晶パネル６０１近傍で交差するようになっている。
【００５６】
本構成により、ロットレンズ２１２とリレーレンズ３０２とで形成される照明領域に対し、ロットレンズ２１１とリレーレンズ３０１とで形成される照明領域、およびロットレンズ２１３とリレーレンズ３０３とで形成される照明領域、のそれぞれを略一致させることができる。
【００５７】
本実施の形態の液晶表示装置によれば、実施の形態２で示したようにリレーレンズの光軸とロットレンズの光軸をずらす必要が無い。従って、リレーレンズ３０１、３０３のイメージサークルが小さくでき、リレーレンズ３０１、３０３をコンパクトに構成できる。
【００５８】
なお、本実施の形態においては、ダイクロイックミラー２０２で反射する光の光軸に対して、ダイクロイックミラー２０１で反射する光の光軸を下側に、ミラー２０３で反射する光の光軸を上側に、それぞれ傾斜させる構成を採ったが、これに限られない。例えば、ダイクロイックミラー２０１で反射する光の光軸を傾斜させず、ダイクロイックミラー２０２、およびミラー２０３で反射する光をどちらも上側に傾斜させる構成であってもよい。ただし、真ん中に位置するダイクロイックミラー２０２で反射する光の光軸を傾斜させないことで、他を傾斜させる場合の傾斜角を最小限とすることが可能である。
【００５９】
また、実施の形態１および実施の形態２の液晶表示装置においては、ロッドレンズ２１１、２１２および２１３の断面形状は、矩形形状とすることが好ましい。液晶パネル６０１の矩形表示面と精度よく一致させるためである。ただし、実施の形態３の液晶表示装置の場合、光軸が傾斜することで、フレネルレンズ４０１に拡大投射される光は、台形歪みを生ずる。これを補正するためにロッドレンズ２１１およびロットレンズ２１３の断面形状は、台形形状としておくことが好ましい。このように構成することで、実施の形態３の液晶表示装置においても照明領域を精度よく一致させることが可能となる。
【産業上の利用可能性】
【００６０】
本発明に係る液晶表示装置は、明るく高効率を実現する液晶表示装置として有用である。
【図面の簡単な説明】
【００６１】
【図１】実施の形態１に係る液晶表示装置の構成図
【図２】実施の形態１の光分離手段の光分離作用を説明するための説明図
【図３】実施の形態１においてリレーレンズから液晶パネルに至る光路を説明するための説明図
【図４】実施の形態１においてリレーレンズ３０２からフレネルレンズ４０１下端に至る光路をより詳しく説明するための説明図
【図５】実施の形態１においてリレーレンズ３０３からフレネルレンズ４０１下端に至る光路をより詳しく説明するための説明図
【図６】実施の形態１においてリレーレンズ３０１からフレネルレンズ４０１下端に至る光路をより詳しく説明するための説明図
【図７】本発明の実施の形態２の光分離手段およびリレーレンズの構成図
【図８】本発明の実施の形態３の光分離手段およびリレーレンズの構成図
【符号の説明】
【００６２】
１０  液晶表示装置
１００  光源部
１０１  放電ランプ
１０２  楕円面鏡
２００  光分離手段
２０１、２０２  ダイクロイックミラー
２０３  ミラー
２１１、２１２、２１３  ロットレンズ
３０１、３０２、３０３  リレーレンズ
４０１  フレネルレンズ
５０１  レンチキラーレンズ
６０１  液晶パネル
６１１、６１２、６１３  表示セル
６１４  ブラックマトリックス
【図１】
2010039113.tif 000003
【図２】
2010039113.tif 000004
【図３】
2010039113.tif 000005
【図４】
2010039113.tif 000006
【図５】
2010039113.tif 000007
【図６】
2010039113.tif 000008
【図７】
2010039113.tif 000009
【図８】
2010039113.tif 000010